(57)【特許請求の範囲】
【請求項１】
底板と４周の側壁とでガラス基板を水平姿勢で収容できる収容空間が形成されており、少なくとも１つの側壁に沿うようにして収容したガラス基板が接触しないよう底板上面に凹部が形成されている発泡樹脂製のガラス基板搬送用トレイであって、
前記底板上面の４隅には、収容したガラス基板の角部を側方から支持するための角部支持用壁部が形成されており、前記角部支持用壁部が形成される領域はトレイ本体から分離できるようにされており、分離された領域には交換部材が取り付けできるようになっていることを特徴とするガラス基板搬送用トレイ。
【請求項２】
前記底板上面の少なくとも１つの側壁には、収容したガラス基板の側縁を側方から支持するための側縁支持用壁部が形成されていることを特徴とする請求項１に記載のガラス基板搬送用トレイ。
【請求項３】
前記角部支持用壁部および側縁支持用壁部の双方またはいずれか一方には、トレイ本体が損傷するのを保護するための保護シートが装着できるようにされていることを特徴とする請求項１または２に記載のガラス基板搬送用トレイ。
【請求項４】
前記底板の下面には、ガラス基板搬送用トレイを段積みしたときに下位に位置するガラス基板搬送用トレイに収容したガラス基板の上面に接する高さの凸部が形成されていることを特徴とする請求項１〜３のいずれか一項に記載のガラス基板搬送用トレイ。
【請求項５】
請求項１〜４のいずれか一項に記載のガラス基板搬送用トレイが少なくとも２段に段積みされ、その収容空間にガラス基板を収容してなるガラス基板梱包体。
【発明の詳細な説明】
【技術分野】
【０００１】
本発明は、ガラス基板搬送用トレイとガラス基板梱包体にかかり、特にガラス基板を水平姿勢で梱包して搬送するのに好適なガラス基板搬送用トレイとガラス基板梱包体に関する。
【背景技術】
【０００２】
近年、半導体装置等を組み込むのに用いられるガラス基板は、大型化しかつ薄板化している。そのようなガラス基板は、搬送時の衝撃等により損傷を受けやすい。そのために、ガラス基板搬送用トレイとして、ガラス基板を垂直姿勢ではなく水平姿勢で収容できるものを用いて、ガラス基板を梱包し搬送することが行われる。
【０００３】
その例として、特許文献１には、箱体の内部収納空間に、複数枚のガラス基板を各相互間に発泡樹脂シートを介装して水平姿勢で積層状に収納してなる単位梱包体を、外包囲体の内部に、上下に複数段に積み重ねて収納することが記載されている。
【０００４】
また、特許文献２には、ガラス基板を水平に収容するための複数の収納部がトレイの上面に形成されたポリオレフィン系樹脂発泡体からなるガラス基板搬送用トレイであって、トレイの収納部はガラス基板が収容される底面と底面を取り囲む側壁とを有し、底面における周縁には凹部を形成したガラス基板搬送用トレイが記載されている。
【０００５】
【特許文献１】特開２００５−７５３６６号公報
【特許文献２】特開２００２−３５３３０２号公報
【発明の開示】
【発明が解決しようとする課題】
【０００６】
薄くかつ大型のガラス基板は、垂直姿勢よりも水平姿勢でトレイ内に収容した方が、搬送時の姿勢は安定する。しかし、特許文献１に記載のように複数枚のガラス基板を積層状に収納する場合には、ガラス基板相互間の接触面積が大きくなり、ガラス基板の間に発泡樹脂シートを介装したとしても、搬送時の振動や揺れによって、ガラス基板表面に傷が付きやすくなる。
【０００７】
特許文献２に記載のものは、１つのガラス基板搬送用トレイに１枚のガラス基板を収容し、それを多段に段積みして梱包体としており、ガラス基板同士の接触は回避できる。また、底面における周縁には凹部を形成することにより、搬送中にガラス基板が振動したときにガラス基板の周縁がトレイ本体と接触するのを防止し、粉塵が発生するのを阻止している。また、このような凹部は、周縁領域が他の部材と接触するのを特に回避しなければならないような形態のガラス基板を収容し搬送する場合に、有効に機能する。しかし、トレイに収容されたガラス基板は、上下面のみで支持されており、周縁部は支持されていないので、搬送時の振動により水平方向に移動するのを完全には回避することができず、摩擦によりガラス基板表面に傷が付く恐れがあり、また、移動して側縁がトレイの側壁に衝接することにより、粉塵が発生する恐れもある。
【０００８】
本発明は、上記のような事情に鑑みてなされたものであり、収容したガラス基板が振動等によりトレイ内で移動するのを確実に阻止できるとともに、粉塵の発生も確実に抑制することのできる発泡樹脂製のガラス基板搬送用トレイおよびそれを用いたガラス基板梱包体を開示することを課題とする。
【課題を解決するための手段】
【０００９】
本発明によるガラス基板搬送用トレイは、底板と４周の側壁とでガラス基板を水平姿勢で収容できる収容空間が形成されており、少なくとも１つの側壁に沿うようにして収容したガラス基板が接触しないように底板上面に凹部が形成されている発泡樹脂製のガラス基板搬送用トレイであって、前記底板上面の４隅には、収容したガラス基板の角部を側方から支持するための角部支持用壁部が形成されていることを特徴とする。
【００１０】
上記のガラス基板搬送用トレイでは、収容したガラス基板の周縁の角部を４隅に形成した角部支持用壁部で側方から支持するようにしており、収容したガラス基板が水平方向に移動するのを確実に阻止できる。そのために、搬送中にガラス基板表面に傷が付くことはない。また、ガラス基板の周縁の角部以外の領域はトレイ本体に接することはないので、摩擦等により発泡樹脂の粉塵が発生するのも回避することができる。さらに、底板上面には、側壁に沿うようにして収容したガラス基板が接触しないようにした凹部が形成されており、周縁領域が他の部材と接触するのを特に回避しなければならない種類のガラス基板のための搬送用トレイとして、本発明によるガラス基板搬送用トレイは特に有効に用いることができる。
【００１１】
本発明によるガラス基板搬送用トレイの他の態様では、前記底板上面の少なくとも１つの側壁には、収容したガラス基板の側縁を側方から支持するための側縁支持用壁部がさらに形成されている。この態様のトレイは、１つの側縁領域は他の部材と接触しても不都合がないような種類のガラス基板のための搬送用トレイとして好適であり、ガラス基板の側縁が側縁支持用壁部によって支持されることにより、さらに安定した姿勢でガラス基板を収容しかつ搬送することができる。
【００１２】
本発明によるガラス基板搬送用トレイの他の態様では、前記角部支持用壁部および側縁支持用壁部の双方またはいずれか一方には、トレイ本体が損傷するのを保護するための保護シートが装着できるようにされている。保護シートの素材としては、非発泡あるいは極低発泡の樹脂フィルムやシートが例として挙げられる。保護シートの装着は、トレイ本体へ貼り付けるようにしてもよく、トレイ本体に凹溝を設けてそこに差し込むようにしてもよい。
【００１３】
この態様では、ガラス基板が前記角部支持用壁部あるいは側縁支持用壁部に直接接することを回避できるので、わずかとはいえ発生する恐れのある発泡樹脂の粉塵を完全に阻止することができる。
【００１４】
本発明によるガラス基板搬送用トレイの他の態様では、前記角部支持用壁部が形成される領域はトレイ本体から分離できるようにされており、分離された領域には交換部材が取り付けできるようになっている。この態様では、繰り返しの使用により、ガラス基板の角部との接触によって角部支持用壁部が損傷してしまったような場合に、その部分のみを新規な交換部材と交換することにより、ガラス基板搬送用トレイとして再度の使用が可能となる。それにより、廃棄物量を低減することができる。
【００１５】
本発明によるガラス基板搬送用トレイの他の態様では、前記底板の下面には、ガラス基板搬送用トレイを段積みしたときに下位に位置するガラス基板搬送用トレイに収容したガラス基板の上面に接する高さの凸部が形成されている。この態様では、段積みしたときに収容されているガラス基板の上面を上位のガラス基板搬送用トレイの底板に形成した前記凸部で押さえることができるので、搬送時のガラス基板の姿勢は一層安定する。
【００１６】
本発明は、また、上記したガラス基板搬送用トレイが少なくとも２段に段積みされ、その収容空間にガラス基板を収容してなるガラス基板梱包体をも開示する。
【発明の効果】
【００１７】
本発明によれば、収容したガラス基板が振動等によりトレイ内で移動するのを確実に阻止できるとともに、発泡樹脂の粉塵が発生するのも確実に抑制することのできる発泡樹脂製のガラス基板搬送用トレイおよびそれを用いたガラス基板梱包体が得られる。
【発明を実施するための最良の形態】
【００１８】
以下、図面を参照しながら、本発明を実施の形態に基づき説明する。図１は本発明によるガラス基板梱包体を構成する各部材を分解して示す斜視図、図２は搬送状態にある本発明によるガラス基板梱包体の一例を示す図、図３はガラス基板の一例を示す図、図４は本発明によるガラス基板搬送用トレイの一例を上から見て示す斜視図、図５は図４に示すガラス基板搬送用トレイの平面図、図６はその底面図、図７は図４のａ−ａ線による断面図と一部の拡大図、図８はガラス基板搬送用トレイにガラス基板を収容した状態を示す拡大図であり、図５のｂ−ｂ線の断面図とガラス基板搬送用トレイを２段に段積みした状態を示す図、図９〜図１１は本発明によるガラス基板搬送用トレイの第２の形態を示す斜視図である。
【００１９】
［第１の形態］
本発明によるガラス基板梱包体１は、図１に示すように、後に詳細に説明する２つのガラス基板搬送用トレイ１０、１０と、下位のガラス基板搬送用トレイ１０の収容空間内に収容されたガラス基板２とを少なくとも備える。図示のように、ガラス基板２に発泡ポリプロピレンシートあるいは発泡ポリエチレンシートのような帯電性と導電性のないフィルム３を積層した状態で収容してもよい。好ましくは、ガラス基板梱包体１はパレット４の上に置かれ、上から段ボール製の蓋５がかぶせられる。
【００２０】
搬送に当たっては、ガラス基板搬送用トレイ１０は２段以上に段積みされ、最上位のガラス基板搬送用トレイ１０を除く他のガラス基板搬送用トレイ１０の収容空間内に、図１に示したようにしてガラス基板２が収容される。図２に示すように、段積みされたガラス基板搬送用トレイ群６がパレット４の上に置かれ、その上に蓋５がかぶせられて、その全体がバンド７で締め付けられ、さらに外側全体がストレッチフィルム（不図示）で覆われる。
【００２１】
この例で、ガラス基板２は、図３に示すように、４隅の角部２ａ〜２ｄを有し、角部２ａと角部２ｂの間は直線状の側縁２ｅで接続しており、他の３つの側縁は、角部２ａ〜２ｄより外側に延出する凹凸領域２ｆ〜２ｈとなっている。そして、この例で、前記３つの凹凸領域２ｆ〜２ｈは他の部材（すなわち、ガラス基板搬送用トレイ１０）に接触することを回避しなければならない領域であり、残りの直線状の側縁２ｅは接触が許される領域である。
【００２２】
ガラス基板搬送用トレイ１０は、発泡樹脂製であり、好ましくは、熱可塑性樹脂の発泡性粒子を型内成形することによって成形する。好ましくは、発泡性スチレン改質ポリオレフィン系樹脂粒子を用いることができる。スチレン改質ポリオレフィン系樹脂は、ポリオレフィン系樹脂粒子にスチレン系単量体を含浸重合させて得られたものであり、スチレン改質ポリオレフィン系樹脂の中でも、スチレン改質ポリエチレン樹脂が好ましく、例えば、スチレン成分の割合は４０〜９０重量％、好ましくは５０〜８５％、更に好ましくは５５〜７５重量％であり、発泡体の倍率は３〜６０倍が好ましい。発泡性スチレン改質ポリオレフィン系樹脂粒子による成形品は、同じ発泡倍率の発泡ポリプロピレン系樹脂成形品に比べて強度があり、また収縮率が小さく寸法精度もよい。従って、寸法上のバラツキが少ない。さらに、発泡性ポリスチレン系樹脂成形品に比べて、摩擦等による粉塵が出難い長所がある。
【００２３】
図示されるガラス基板搬送用トレイ１０は全体が長方形状であり、底板１１と底板１１の４周から立ち上がる側壁１２ａ〜１２ｄを有し、４周の側壁１２ａ〜１２ｄと底板１１の上面で囲まれる空間がガラス基板２の収容空間１３となる。また、図７（ａ），（ｂ）、特に図７（ｂ）の拡大図に良く示すように、底板１１の上面１１ａには、少なくとも１つの側壁に沿うようにして、凹部１４が形成される。図示の例では、前記凹部１４は、２つの短辺側の側壁１２ｂ，１２ｄと１つの長辺側の側壁１２ｃに沿うようにして３箇所に形成されている。なお、前記底板１１の上面１１ａがガラス基板２の下面側の支持面となる。
【００２４】
側壁１２ａ〜１２ｄの内側には、側壁頂部から所定距離下がった位置であって前記底板１１の上面１１ａよりも高い位置に段差部１５ａ〜１５ｄが形成されており、段差部１５の先端はほぼ垂直な壁１６とされている。側壁１２ａの内側に形成される段差部１５ａには形成されないが、側壁１２ｂ，１２ｃ，１２ｄの内側に形成される段差部１５ｂ〜１５ｄは、それぞれの側壁側に入り込んだ領域を有しており、その領域が、前記した底板１１の上面１１ａに形成した凹部１４とされている。
【００２５】
それにより、前記段差部１５における４つの偶部には、内側への張り出し部１７ａ〜１７ｄが形成された形状となり、図４に示すように、前記凹部１４が形成されていない側の側壁１２ａの両端には、その壁１６と両端に形成される２つの張り出し部１７ａ，１７ｂの壁とによって、９０度に折曲する入隅部１８ａ，１８ｂが形成される。また、凹部１４が形成されている側の側壁１２ｃの両端側に形成される２つの張り出し部１７ｃ，１７ｄの頂部には、内側に９０度に折曲する入隅部１８ｃ，１８ｄが形成される。
【００２６】
図示のガラス基板搬送用トレイ１０では、側壁１２ａ〜１２ｄの４つのコーナー部は側壁のない切り欠き部１９とされており、また、側壁に近接する領域には凹陥部２１が形成されている。さらに、ガラス基板搬送用トレイ１０の前記底板１１の下面１１ｂの内側領域には、図８（ｂ）に示すように、同じ形状のガラス基板搬送用トレイ１０を上下に段積みしたときに、下位に位置するガラス基板搬送用トレイ１０に収容したガラス基板２の上面に接する高さの凸部２２が形成されており、また、下面１１ｂの周囲には、前記側壁１２ａ〜１２ｄの４つのコーナー部に形成した切り欠き部１９に入り込む形状と大きさの凸部２３が形成されている。
【００２７】
次に、上記のガラス基板搬送用トレイ１０にガラス基板２を収容した状態を説明する。図５は、ガラス基板２を収容したときのガラス基板搬送用トレイ１０の平面図を示している。なお、図５では、ガラス基板２の外縁形状のみを仮想線で示し、その状態での図７（ｂ）で拡大して示した領域を図８（ａ）に示している。
【００２８】
図３に示したガラス基板２の大きさおよび形状は、収容時に、前記角部２ａと角部２ｂが、ガラス基板搬送用トレイ１０に形成した前記側壁１２ａ側の入隅部１８ａ，１８ｂに隙間のない状態で入り込み、その姿勢で側縁２ｅは、前記側壁１２ａ側の段差部１５の壁１６に接触し、また、角部２ｃと角部２ｄが、対向する側壁１２ｃ側の入隅部１８ｃ，１８ｄに隙間のない状態で入り込み、その姿勢で前記凹凸領域２ｆ〜２ｈの先端は対向する段差部１５の壁１６に接触しない、大きさと形状とされている。実際のガラス基板搬送用トレイ１０を設計に当たっては、搬送しようとするガラス基板２の形状と大きさに合わせて、該ガラス基板が上記のような姿勢でトレイ内に収容されるように、設計する。
【００２９】
上記のようであり、収容されたガラス基板２は、底板１１の上面１１ａの４隅に形成した入隅部１８ａ〜１８ｄにおける垂直な壁１６（この部分が、本発明でいう「角部支持用壁部」を構成する）によって、その角部２ａ〜２ｄが側方から支持された姿勢を取ることができる。また、この実施の形態では、ガラス基板２の１つの側縁２ｅも前記段差部１５の垂直な壁１６（この部分が、本発明でいう「側縁支持用壁部」を構成する）によって側方から支持されている。そのために、収容されたガラス基板２の収容姿勢は安定し、振動等によって水平方向に移動することはない。また、図８に示すように、凹凸領域２ｆ〜２ｈの先端は壁１６には接していないので、その領域から発泡樹脂の粉塵が生じることもない。さらに、凹凸領域２ｆ〜２ｈが位置する部分では、底板１１の上面１１ａに凹部１４が形成されており、その部分がトレイと接することも回避される。
【００３０】
なお、図示しないが、ガラス基板２の４つの側縁周辺領域のすべてがトレイと接することを禁止されているガラス基板２を収容し搬送する場合には、上記したガラス基板搬送用トレイ１０における前記側壁１２ａ側にも、側壁１２ｂ，１２ｃ，１２ｄにおける段差部１５ｂ〜１５ｄと同様に、側壁１２ａ側に入り込んだ領域を形成し、その領域にも前記し凹部１４を形成すればよい。
【００３１】
図８（ｂ）は、ガラス基板２を収容したガラス基板搬送用トレイ１０ａの上に、同じ形状のガラス基板搬送用トレイ１０ｂを段積みしてガラス基板梱包体としたときの部分的拡大図である。下位のガラス基板搬送用トレイ１０ａに収容されたガラス基板２の上面は、上位のガラス基板搬送用トレイ１０ｂの底板１１の下面１１ｂの内側領域に形成した凸部２２の下面によって支持されており、ガラス基板２の収容姿勢はさらに安定する。また、図８（ｂ）には図示されないが、上位のガラス基板搬送用トレイ１０ｂの底板１１の下面１１ｂに形成した前記凸部２３が、下位のガラス基板搬送用トレイ１０ａの側壁１２ａ〜１２ｄの４つのコーナー部に形成した切り欠き部１９に入り込むことにより、上下のガラス基板搬送用トレイ１０ａ，１０ｂの係合姿勢も安定する。
【００３２】
なお、ガラス基板搬送用トレイ１０の底板１１の上面１１ａにおける側壁１２に近接する領域に形成した前記凹陥部２１は、異なったサイズのガラス基板を収容し搬送するときに用いるものであり、使用に当たっては、特に図示しないが、収容しようとするガラス基板の形状、大きさに応じたアタッチメント部材を、前記凹陥部２１に挿入して固定する。アタッチメント部材の素材は任意であるが、トレイ本体と同素材あるいは別素材の発泡樹脂体であることが望ましい。
【００３３】
［他の実施の形態］
次に、本発明によるガラス基板搬送用トレイ１０の他の実施の形態を図９〜図１１を用いて説明する。図９（ａ）はガラス基板搬送用トレイ１０の他の実施の形態を示す、前記した図４に相当する図である。このガラス基板搬送用トレイ１０Ａは、（１）前記した入隅部１８ａ，１８ｂの垂直な壁１６、および側壁１２ａの内側に形成した段差部１５ａの垂直な壁１６の一部に、非発泡あるいは極低発泡の樹脂フィルムやシートである保護シート３０が貼り付けてある点、および、（２）前記した入隅部１８ｃ，１８ｄを有する張り出し部１７ｃ，１７ｄとされている領域が、トレイ１０Ａ本体から分離できるようにされており、分離された領域にはほぼ同じ形状の発泡樹脂製の交換部材４０が取り付けできるようにされている点、の２点で、上記したガラス基板搬送用トレイ１０と相違している。他の構成は同じであり、図９（ａ）において、ガラス基板搬送用トレイ１０と同じ部材には同じ符号を付し、説明は省略する。
【００３４】
前記（１）のように、壁１６に保護シート３０を貼り付けることにより、ガラス基板２の縁部がそれらの壁１６に直接的に接触するのを回避できるので、わずかとはいえ発生する恐れのある発泡樹脂の粉塵を、より完全に阻止することができる。
【００３５】
また、前記（２）のように、交換部材４０を着脱できるようにすることにより、ガラス基板搬送用トレイ１０Ａを繰り返し使用することによって、ガラス基板２の角部２ｃ，２ｄとの接触によって、交換部材４０の入隅部１８ｄ（１８ｃ）の壁が損傷してしまったような場合に、新規な交換部材４０と交換することによって、ガラス基板搬送用トレイ１０Ａとして再度適正に使用することが可能となる。なお、交換部材４０の高さは、ガラス基板搬送用トレイ１０Ａに取り付けたときに、その上面４２が前記段差部１５と同じレベルとなるように設定する。
【００３６】
図１０は発泡樹脂製の交換部材４０の好ましい形態を示しており、この交換部材４０の発泡倍率は、ガラス基板搬送用トレイ１０Ａを構成する発泡樹脂の発泡倍率とは異なっている。また、ガラス基板搬送用トレイ１０Ａの側壁に対向する側壁面には突条４１が形成されている。図１１（ａ），（ｂ）は、図１０に示す交換部材４０の使用態様の２つの例を示している。図１１（ａ）は、収容するガラス基板２の大きさが下限値の場合であり、前記突条４１はその先端がトレイ本体と接した状態となっている。図１１（ｂ）は、収容するガラス基板２の大きさが上限値の場合であり、前記突条４１はその先端がトレイ本体内に食い込んでいる。このように、交換部材４０とトレイ本体の発泡倍率を異ならせておくことにより、突起４１の高さ分の寸法誤差を収容しようとするガラス基板２に許容することが可能となる。
【００３７】
なお、図９に示すガラス基板搬送用トレイ１０Ａのように、前記（１）と（２）の構成の双方を１つのガラス基板搬送用トレイ１０に備える必要はなく、いずれか一方の構成のみを備えるようにしても、ガラス基板搬送用トレイ１０は所期の目的を達成することはできる。また、前記構成（１）において、壁１６の全部に保護シート３０を貼り付けるようにしてもよい。さらに、図９（ｂ）に示すように、保護シート３０を貼り付けることに代えて、比較して厚さの厚い保護シート３１をトレイ本体に形成した凹溝３２内に差し込んで、壁１６に沿って固定するようにしてもよい。
【００３８】
上記説明したガラス基板搬送用トレイおよびガラス基板梱包体は、いくつかの実施の形態であって、本発明はこれに限らない。例えば、前記凹部１４は、４つの偶部に入隅部１８ａ〜１８ｄが確保されること、および収容するガラス基板２が底板１１の上面１１ａによって裏面が安定的に支持されることを条件に、任意の面積の凹部１４とすることができる。さらに、収容するガラス基板２の形状も、４隅に角部２ａ〜２ｄを有することを条件に他の形状は任意であり、それに合わせてトレイ本体の形状を設計すればよい。
【図面の簡単な説明】
【００３９】
【図１】本発明によるガラス基板梱包体を構成する各部材を分解して示す斜視図。
【図２】搬送状態にある本発明によるガラス基板梱包体の一例を示す図。
【図３】ガラス基板の一例を示す図。
【図４】本発明によるガラス基板搬送用トレイの一例を上から見て示す斜視図。
【図５】図４に示すガラス基板搬送用トレイの平面図。
【図６】図４に示すガラス基板搬送用トレイの底面図。
【図７】図４のａ−ａ線による断面図（図７（ａ））と一部の拡大図（図７（ｂ））。
【図８】ガラス基板搬送用トレイにガラス基板を収容した状態を示す拡大図であり、図８（ａ）は図５のｂ−ｂ線の箇所での断面図、図８（ｂ）はガラス基板搬送用トレイを２段に段積みした状態を示す図。
【図９】図９（ａ）は本発明によるガラス基板搬送用トレイの他の形態を示す斜視図であり、図３に相当する図、図９（ｂ）はさらに他の形態のガラス基板搬送用トレイを図９（ａ）のｂ−ｂ線の箇所で説明する図。
【図１０】交換部材を説明する図。
【図１１】交換部材の使用態様を説明するための図。
【符号の説明】
【００４０】
１…本発明によるガラス基板梱包体、２…ガラス基板、２ａ〜２ｄ…ガラス基板の４隅の角部、２ｅ…直線状の側縁、２ｆ〜２ｈ…凹凸領域である側縁、３…フィルム、４…パレット、５…蓋、６…段積みされたガラス基板搬送用トレイ群、７…バンド、１０、１０Ａ…ガラス基板搬送用トレイ、１１…底板、１１ａ…底板の上面、１１ｂ…底板の下面、１２ａ〜１２ｄ…側壁、１３…ガラス基板の収容空間、１４…凹部、１５ａ〜１５ｄ…段差部、１６…段差部の先端の壁、１７ａ〜１７ｄ…内側への張り出し部、１８ａ〜１８ｄ…入隅部、１９…切り欠き部、２１…凹陥部、２２、２３…凸部、３０…保護シート、３１…比較して厚さの厚い保護シート、３２…凹溝、４０…交換部材、４１…交換部材の突条、４２…交換部材の上面
【図１】
0005162341.tif 000002
【図２】
0005162341.tif 000003
【図３】
0005162341.tif 000004
【図４】
0005162341.tif 000005
【図５】
0005162341.tif 000006
【図６】
0005162341.tif 000007
【図７】
0005162341.tif 000008
【図８】
0005162341.tif 000009
【図９】
0005162341.tif 000010
【図１０】
0005162341.tif 000011
【図１１】
0005162341.tif 000012